(57)【要約】      （修正有）【課題】携帯端末の決済機能を利用して発券機で券を発券可能な構成を提供する。【解決手段】携帯端末では、発券情報に関する情報が記録されるように生成された経路コードが画面表示される。発券機１０では、情報コード読取部により経路コードが読み取られて発券情報が取得されると、決済コードＣ２が画面表示される。撮像部にて撮像された決済コードが読み取られて決済番号が取得されると、発券情報から特定される乗車券を購入するための決済処理が行われる。決済処理が完了することで決済完了情報が取得されると、決済完了情報と決済コードの読み取りで取得した決済番号とが記録されるように生成された決済完了コードが画面表示される。情報コード読取部により決済完了コードが読み取られることで決済完了情報及び決済番号が取得されると、当該決済番号に関連付けられる発券情報から特定される乗車券が発券されるように、制御部により発券部が制御される。【選択図】図９
2019159738.tif 000002
【特許請求の範囲】
【請求項１】
利用者が携帯する携帯端末に表示される情報コードを利用して券を発券する発券機を備える発券システムであって、
前記携帯端末は、
前記券を購入するための発券情報が入力される入力部と、
情報コードを読み取るための端末側読取部と、
情報コードを生成するための端末側生成部と、
前記端末側生成部により生成された情報コードが画面表示可能な端末側表示部と、
前記端末側表示部を制御する端末側制御部と、
前記入力部により入力された前記発券情報から特定される前記券を購入するための決済処理を行うための決済部と、
を備え、
前記発券機は、
読取口にかざされた情報コードを読み取るための発券機側読取部と、
情報コードを生成するための発券機側生成部と、
前記発券機側生成部により生成された情報コードが画面表示可能な発券機側表示部と、
前記券を発券するための発券部と、
前記発券機側表示部及び前記発券部を制御する発券機側制御部と、
を備え、
前記端末側制御部は、前記入力部により前記発券情報が入力されると、前記発券情報に関する情報が記録されるように前記端末側生成部にて生成された第１の情報コードが画面表示されるように前記端末側表示部を制御し、
前記発券機側制御部は、前記発券機側読取部により前記第１の情報コードが読み取られて前記発券情報が取得されると、当該発券情報に関連付けられる決済番号が記録されるように前記発券機側生成部にて生成された第２の情報コードが画面表示されるように前記発券機側表示部を制御し、
前記決済部は、前記端末側読取部により前記第２の情報コードが読み取られて前記決済番号が取得されると、前記入力部により入力された前記発券情報から特定される前記券を購入するための決済処理を行い、
前記端末側制御部は、前記決済部による前記決済処理が完了することで決済完了情報が取得されると、前記決済完了情報と前記第２の情報コードの読み取りで取得した前記決済番号とが記録されるように前記端末側生成部にて生成された第３の情報コードが画面表示されるように前記端末側表示部を制御し、
前記発券機側制御部は、前記発券機側読取部により前記第３の情報コードが読み取られることで前記決済完了情報及び前記決済番号が取得されると、当該決済番号に関連付けられる前記発券情報から特定される前記券が発券されるように前記発券部を制御することを特徴とする発券システム。
【請求項２】
前記券は、乗車券であり、
前記発券情報には、少なくとも降車駅に関する情報が含まれることを特徴とする請求項１に記載の発券システム。
【請求項３】
前記発券情報には、さらに、予約する車両及び座席に関する予約情報が含まれることを特徴とする請求項２に記載の発券システム。
【請求項４】
前記発券情報には、言語情報が含まれ、
前記発券機側制御部は、前記発券情報に含まれる前記言語情報に応じた言語にて所定の情報が表示されるように前記発券機側表示部を制御することを特徴とする請求項１〜３のいずれか一項に記載の発券システム。
【請求項５】
前記発券機は、硬貨が投入される硬貨投入口を備え、
前記読取口は、前記発券機側表示部の表示画面と前記硬貨投入口との間に介在するように配置されることを特徴とする請求項１〜４のいずれか一項に記載の発券システム。
【発明の詳細な説明】
【技術分野】
【０００１】
本発明は、発券機にて券を発券する発券システムに関するものである。
【背景技術】
【０００２】
従来、鉄道等の交通機関の駅には乗車券を発券して販売する発券機が設置されており、この乗車券の発券にスマートフォン等の携帯端末を利用することで利便性を高めた発券システムに関連する技術として、例えば、下記特許文献１に開示される券売機が知られている。この券売機では、乗車券購入補助情報となる２次元バーコード等が携帯端末に画面表示された状態でその光学読取部にかざされると、この２次元バーコードから降車駅等が読み取られ、運賃以上の貨幣が投入されることで、乗車券が発券される。上記乗車券購入補助情報は、携帯端末から降車駅情報や言語情報等を受信したネットワークサーバにより生成され、ユーザは、ネットワークサーバから受信した乗車券購入補助情報を２次元バーコードとして画面表示して券売機に読み取らせる。これにより、ユーザは、乗車券の発券に必要な情報を、携帯端末での操作に応じて券売機に伝えることができる。
【先行技術文献】
【特許文献】
【０００３】
【特許文献１】特開２０１３−１５２６５１号公報
【発明の概要】
【発明が解決しようとする課題】
【０００４】
ところで、上記特許文献１に開示されるような構成では、携帯端末を利用して乗車券の発券に必要な情報を発券機に伝えることができても、その支払いに硬貨が必要になる。例えば、外国人旅行者等では、硬貨を持ち合わせていない場合が多く、乗車券の購入の際に発生するおつりが煩わしいとなる場合がある。一方、おつりの発生を抑制するため、発券機にクレジットカード等を利用可能な決済機能を持たせると、発券機自体が高機能化するだけでなく、既存のＬＡＮレベルとは異なる決済可能なネットワークを別途用意する必要もあり、システム導入に伴う費用が増大してしまうという問題がある。
【０００５】
本発明は、上述した課題を解決するためになされたものであり、その目的とするところは、携帯端末の決済機能を利用して発券機で券を発券可能な構成を提供することにある。
【課題を解決するための手段】
【０００６】
上記目的を達成するため、特許請求の範囲の請求項１に記載の発明は、
利用者が携帯する携帯端末（３０）に表示される情報コードを利用して券（Ｔ）を発券する発券機（１０）を備える発券システム（１）であって、
前記携帯端末は、
前記券を購入するための発券情報が入力される入力部（３４）と、
情報コードを読み取るための端末側読取部（３１，３２）と、
情報コードを生成するための端末側生成部（３１）と、
前記端末側生成部により生成された情報コードが画面表示可能な端末側表示部（３３）と、
前記端末側表示部を制御する端末側制御部（３１）と、
前記入力部により入力された前記発券情報から特定される前記券を購入するための決済処理を行うための決済部（３１）と、
を備え、
前記発券機は、
読取口にかざされた情報コードを読み取るための発券機側読取部（２１，２８）と、
情報コードを生成するための発券機側生成部（２１）と、
前記発券機側生成部により生成された情報コードが画面表示可能な発券機側表示部（２３）と、
前記券を発券するための発券部（２５）と、
前記発券機側表示部及び前記発券部を制御する発券機側制御部（２１）と、
を備え、
前記端末側制御部は、前記入力部により前記発券情報が入力されると、前記発券情報に関する情報が記録されるように前記端末側生成部にて生成された第１の情報コード（Ｃ１）が画面表示されるように前記端末側表示部を制御し、
前記発券機側制御部は、前記発券機側読取部により前記第１の情報コードが読み取られて前記発券情報が取得されると、当該発券情報に関連付けられる決済番号が記録されるように前記発券機側生成部にて生成された第２の情報コード（Ｃ２）が画面表示されるように前記発券機側表示部を制御し、
前記決済部は、前記端末側読取部により前記第２の情報コードが読み取られて前記決済番号が取得されると、前記入力部により入力された前記発券情報から特定される前記券を購入するための決済処理を行い、
前記端末側制御部は、前記決済部による前記決済処理が完了することで決済完了情報が取得されると、前記決済完了情報と前記第２の情報コードの読み取りで取得した前記決済番号とが記録されるように前記端末側生成部にて生成された第３の情報コード（Ｃ３）が画面表示されるように前記端末側表示部を制御し、
前記発券機側制御部は、前記発券機側読取部により前記第３の情報コードが読み取られることで前記決済完了情報及び前記決済番号が取得されると、当該決済番号に関連付けられる前記発券情報から特定される前記券が発券されるように前記発券部を制御することを特徴とする。
なお、上記各括弧内の符号は、後述する実施形態に記載の具体的手段との対応関係を示すものである。
【発明の効果】
【０００７】
請求項１の発明では、入力部により発券情報が入力されると、発券情報に関する情報が記録されるように端末側生成部にて生成された第１の情報コードが画面表示されるように、端末側制御部により端末側表示部が制御される。そして、発券機側読取部により第１の情報コードが読み取られて発券情報が取得されると、当該発券情報に関連付けられる決済番号が記録されるように発券機側生成部にて生成された第２の情報コードが画面表示されるように、発券機側制御部により発券機側表示部が制御される。そして、端末側読取部により第２の情報コードが読み取られて決済番号が取得されると、入力部により入力された発券情報から特定される券を購入するための決済処理が決済部により行われる。そして、決済部による決済処理が完了することで決済完了情報が取得されると、決済完了情報と第２の情報コードの読み取りで取得した決済番号とが記録されるように端末側生成部にて生成された第３の情報コードが画面表示されるように、端末側制御部により端末側表示部が制御される。そして、発券機側読取部により第３の情報コードが読み取られることで決済完了情報及び決済番号が取得されると、当該決済番号に関連付けられる発券情報から特定される券が発券されるように、発券機側制御部により発券部が制御される。
【０００８】
これにより、携帯端末に表示される情報コードを利用して乗車券等の券の発券に必要な発券情報を発券機に伝えることができるだけでなく、その支払いも携帯端末の決済機能を利用して行うことができる。したがって、発券機にクレジットカード等を利用可能な決済機能を持たせることなく、携帯端末の決済機能を利用して発券機で券を発券することができる。
【０００９】
請求項２の発明では、券は、乗車券であり、発券情報には、少なくとも降車駅に関する情報が含まれる。これにより、乗車券を発券する場合でも、携帯端末に表示される情報コードや携帯端末の決済機能を利用して発券することができる。
【００１０】
請求項３の発明では、発券情報には、さらに、予約する車両及び座席に関する予約情報が含まれるため、携帯端末に表示される情報コードを利用して上記予約情報を発券機に伝えることができるので、乗車券の発券に関して利便性を高めることができる。
【００１１】
請求項４の発明では、発券情報には、言語情報が含まれ、発券情報に含まれる言語情報に応じた言語にて所定の情報が表示されるように、発券機側制御部により発券機側表示部が制御される。これにより、発券機では、利用者が所望する言語で所定の情報が発券機側表示部の表示画面に表示されるので、利用者が外国人であっても、券購入に関する情報等を容易に把握することができる。
【００１２】
請求項５の発明では、発券機において、情報コードがかざされる読取口は、発券機側表示部の表示画面と硬貨投入口との間に介在するように配置される。これにより、発券機の表示画面を見ている利用者にとって注目を集めやすい位置に読取口が設けられることになるので、その読取口に対して携帯端末に表示される情報コードをかざしやすくすることができる。
【図面の簡単な説明】
【００１３】
【図１】本実施形態に係る発券システムの概略構成を示す説明図である。
【図２】発券機の電気的構成を概略的に例示するブロック図である。
【図３】携帯端末の電気的構成を概略的に例示するブロック図である。
【図４】携帯端末の制御部にて行われる乗車券購入処理の流れを例示するフローチャートである。
【図５】発券機の制御部にて行われる発券処理の流れを例示するフローチャートである。
【図６】携帯端末に表示された経路探索用の画面を説明する説明図である。
【図７】携帯端末の表示画面に経路コードが表示された状態を説明する説明図である。
【図８】発券機の表示画面に経路情報が表示された状態を説明する説明図である。
【図９】発券機の表示画面に決済コードが表示された状態を説明する説明図である。
【図１０】携帯端末の表示画面に決済完了コードが表示された状態を説明する説明図である。
【発明を実施するための形態】
【００１４】
［第１実施形態］
以下、本発明に係る発券システムを具現化した第１実施形態について、図面を参照して説明する。
図１に示す発券システム１は、利用者が携帯する携帯端末に表示される情報コードを利用して発券機にて券を発券するシステムとして構成されている。本実施形態では、発券システム１は、鉄道用の乗車券（切符）Ｔを発券するシステムとして採用されており、各駅に設置される発券機１０を備えるように構成されている。
【００１５】
発券機１０は、図１及び図２に示すように、外郭を構成する筐体１１と、この筐体１１内に収容等される制御部２１、記憶部２２、表示部２３、操作部２４、発券部２５、貨幣処理部２６、カード処理部２７、情報コード読取部２８、通信部２９等とを備えるように構成されている。筐体１１の正面の上部には、表示部２３の表示画面２３ａが配置され、この表示画面２３ａの下方に、紙幣取扱口１２と、硬貨投入口１３と、硬貨排出口１４と、カード取扱口１５と、乗車券放出口１６とが配置されている。また、表示画面２３ａと硬貨投入口１３との間に介在するように、情報コード読取部２８の読取口２８ａが配置されている。
【００１６】
制御部２１は、発券機１０全体を制御可能なマイコンで、ＣＰＵ、システムバス、入出力インタフェース等からなるもので、記憶部２２とともに情報処理装置を構成し得るもので情報処理機能を有する。なお、制御部２１は、「発券機側制御部」の一例に相当し得る。
【００１７】
記憶部２２は、ＲＯＭ、ＲＡＭ、不揮発性メモリなどの公知の半導体メモリなどによって構成されており、この記憶部２２には、後述する発券処理を実現するためのアプリケーションプログラムや他の各種情報処理を実現するための所定のアプリケーションプログラム等が、制御部２１により実行可能に予め格納されている。
【００１８】
表示部２３は、筐体１１の正面に配置される表示画面２３ａを備え、制御部２１により制御されて、乗車券Ｔを購入するための情報や後述する情報コードなどを画面表示可能に構成されている。なお、表示部２３は、「発券機側表示部」の一例に相当し得る。
【００１９】
操作部２４は、表示画面２３ａ上に設けたタッチパネルやテンキー等により構成され、その入力操作に応じた操作信号を制御部２１に対して与える構成をなしており、制御部２１は、操作部２４から操作信号を受けたとき、その操作信号に応じた動作を行うように構成されている。
【００２０】
発券部２５は、制御部２１により制御されて、乗車券用のロール紙が所定の形状に裁断された用紙に対して後述する発券情報に対応する情報を印刷することで乗車券Ｔを発券するように構成されている。発券部２５により発券された乗車券Ｔは、利用者に対して乗車券放出口１６から放出される。
【００２１】
貨幣処理部２６は、紙幣取扱口１２から挿入された紙幣や硬貨投入口１３から投入された硬貨を計数し、この計数結果を制御部２１に対して出力するように構成されている。また、貨幣処理部２６は、制御部２１からの指示に応じて、所定の紙幣を紙幣取扱口１２から放出するとともに、所定の硬貨を硬貨排出口１４から放出するように構成されている。
【００２２】
カード処理部２７は、カード取扱口１５から挿入された非接触式ＩＣカード等のＩＣに対して、制御部２１により制御されて、カードデータの読み取りやカードデータの書き込みを行うように機能する。
【００２３】
情報コード読取部２８は、制御部２１により制御されて、読取対象物に付されたバーコードやＱＲコード（登録商標）等の情報コードを光学的に読み取る光学的情報読取手段として機能するもので、照明光源や受光センサ（図略）等を備えており、照明光源からの照射光が情報コードにて反射され反射光が読取口２８ａを介して受光センサにて受光されると、この反射光に応じた受光信号を受光センサから制御部２１に出力するように構成されている。制御部２１では、この受光信号に基づいて生成された画像データに対して公知のデコード処理がなされることで、情報コードに記録されたデータが取得される。なお、情報コード読取部２８及び制御部２１は、「発券機側読取部」の一例に相当し得る。
【００２４】
通信部２９は、制御部２１により制御されて、所定のネットワークを介して管理サーバ等の外部機器と通信を行う通信インタフェースとして構成されている。
【００２５】
このように構成される発券機１０では、制御部２１にてなされる発券用の処理により、利用者による操作部２４の操作に応じて乗車券Ｔを発券するために必要な発券情報が取得されて、貨幣処理部２６にて必要以上の貨幣が受け取られると、発券部２５により乗車券Ｔが発券されて乗車券放出口１６から放出される。また、発券機１０では、後述するように制御部２１にてなされる発券処理により、携帯端末３０に表示された経路コードＣ１が情報コード読取部２８にて読み取られることで、乗車券Ｔを発券するために必要な発券情報が取得されるとともに生成された決済コードＣ２が画面表示され、その後に携帯端末３０に表示された決済完了コードＣ３が情報コード読取部２８にて読み取られることで、発券部２５により乗車券Ｔが発券される。この発券処理の詳細な説明については後述する。
【００２６】
次に、携帯端末３０の構成について、図面を参照して説明する。
携帯端末３０は、乗車券Ｔを購入する利用者が所持している携帯型の情報端末であって、スマートフォンなどのように、情報コードを画面表示する機能と、情報コードを読み取る機能と、公知の決済機能とを有し、乗車券Ｔを発券するための所定のアプリケーションプログラム（以下、発券アプリともいう）がインストールされて構成されるものである。
【００２７】
この携帯端末３０は、図３に示すように、ＣＰＵからなる制御部３１、受光センサ（例えば、Ｃ−ＭＯＳエリアセンサ、ＣＣＤエリアセンサ等）を備えたカメラとして構成される撮像部３２、液晶表示器などからなる表示部３３、各種操作キーやタッチパネル等（図示略）によって構成される操作部３４、ＲＯＭ，ＲＡＭ、不揮発性メモリなどからなる記憶部３５、携帯電話回線網やインターネット等の所定のネットワークを介して決済サーバ等の外部機器と無線または有線にて通信可能な通信インタフェースとして構成される通信部３６などを備えている。
【００２８】
制御部３１は、撮像部３２にて撮像された情報コードの画像データに対して公知のデコード処理を行うことで、情報コードに記録されたデータを取得するように機能する。なお、制御部３１及び撮像部３２は、「端末側読取部」の一例に相当し得る。
【００２９】
表示部３３は、制御部３１により制御されて、その表示画面３３ａに後述する経路探索情報や情報コード、文字情報などの所定の情報を画面表示可能な端末側表示部として機能し、制御部３１は、表示部３３の表示画面３３ａに表示される表示内容を制御する端末側制御部として機能する。
【００３０】
このように構成される携帯端末３０は、商品等を購入する際に通信部３６を介して所定の決済サーバと通信する決済機能を備えており、この決済機能を利用して乗車券Ｔの購入時の決済処理も行う。このため、携帯端末３０では、上記発券アプリを起動することで制御部３１にてなされる乗車券購入処理により、経路探索にて選択した降車駅等を含んだ発券情報等が経路コードＣ１を利用して発券機１０に伝達された後に、その決済完了情報が決済完了コードＣ３を利用して発券機１０に伝達される。
【００３１】
次に、携帯端末３０を所持する利用者が発券機１０を利用して乗車券Ｔを購入する際に、携帯端末３０の制御部３１にて実行される乗車券購入処理と、発券機１０の制御部２１にて実行される発券処理とについて、図４及び図５に示すフローチャートを参照して説明する。
【００３２】
利用者の操作部３４に対する所定の操作に応じて発券アプリが起動されることで制御部３１にて乗車券購入処理が開始されると、まず、図４のステップＳ１０１に示す言語設定処理がなされ、利用者の操作部３４に対する操作に応じて情報の表示に利用される言語が設定される。後述する図６等では、日本語が選択された場合を例に説明している。なお、選択される言語は、発券アプリのインストール時など、予め設定されていてもよい。
【００３３】
次に、ステップＳ１０３に示す経路探索処理がなされる。この処理では、図６に示すような経路探索用の画面が表示画面３３ａに表示され、乗車駅及び降車駅を選択可能な状態になる。そして、利用者の操作部３４に対する操作に応じて乗車駅及び降車駅が選択されると、その選択された経路に関する情報、例えば、料金や所要時間、乗換駅や乗り換え時間等が乗車駅及び降車駅とともに表示される。なお、経路探索処理は、例えば、インターネット上にて利用可能な既存の経路探索システムや携帯端末用のアプリケーションプログラムを利用して行ってもよい。
【００３４】
そして、上述のように選択された経路にて乗車券Ｔを発券するための操作（例えば、図６のアイコン「ＱＲ発行」のタップ操作）がなされると、選択された乗車駅及び降車駅等の情報が発券情報として取得される。なお、発券情報は、発券機１０が設置される駅を乗車駅とすることを前提に、降車駅のみが含まれるように設定されてもよいし、乗車駅及び降車駅に加えて料金等の他の情報が含まれるように設定されてもよい。さらに、経路探索処理にて、乗車する車両や座席等を予約するための予約情報が入力される場合には、この予約情報が含まれるように発券情報が設定されてもよい。なお、乗車駅及び降車駅を選択入力可能な操作部３４は、「入力部」の一例に相当し得る。
【００３５】
上述のように応じて発券情報が入力されて取得されると、ステップＳ１０５に示す経路コード生成処理がなされる。この処理では、上述のように入力された降車駅等に加えてステップＳ１０１にて設定された言語情報等が発券情報として記録されるように経路コードＣ１が生成される。そして、ステップＳ１０７に示す経路コード表示処理がなされ、生成された経路コードＣ１が表示部３３の表示画面３３ａに表示される。本実施形態では、経路コードＣ１は、「第１の情報コード」に相当し得るもので、図７に例示するように、ＱＲコードとして生成され、上記経路コード生成処理を行う制御部３１は、「端末側生成部」の一例に相当し得る。なお、経路コードＣ１は、発券情報に加えて、当該携帯端末３０を特定可能な特定情報などの他の情報が記録されるように生成されてもよい。
【００３６】
発券機１０では、制御部２１により発券処理が開始されることで、図５のステップＳ２０１に示す判定処理がなされ、情報コード読取部２８により経路コードＣ１が読み取られているか否かについての判定が繰り返される。そして、利用者が上述のように表示部３３の表示画面３３ａに表示された経路コードＣ１を発券機１０の読取口２８ａにかざすことでこの経路コードＣ１から発券情報等が読み取られると（Ｓ２０１でＹｅｓ）、ステップＳ２０３に示す言語設定処理がなされる。この処理では、読み取った発券情報に基づく乗車券Ｔを発券する際に画面表示や音声等を利用して案内される情報の言語が、発券情報に含まれる言語情報に応じて設定される。後述する図８等では、発券情報に含まれる言語情報が日本語に関するものである場合を例に説明している。なお、例えば、発券情報に含まれる言語情報が英語に関するものである場合には、英語を利用して画面表示や音声等による案内がなされる。
【００３７】
続いて、ステップＳ２０５に示す経路情報表示処理がなされ、図８に例示するように、読み取った発券情報から特定される経路情報等が画面表示される。そして、利用者による操作部２４等の操作（例えば、図８のアイコン「購入」のタップ操作）により購入する意思が示されると（Ｓ２０７でＹｅｓ）、ステップＳ２０９の判定処理にて、発券情報に予約情報が含まれているか否かについて判定される。ここで、発券情報に予約情報が含まれていると（Ｓ２０９でＹｅｓ）、その予約情報から特定される車両及び座席を予約するために、通信部２９を介した管理サーバと通信する処理がなされる（Ｓ２１１）。
【００３８】
そして、上述のように予約が完了するか（Ｓ２１１）、予約が不要である場合には（Ｓ２０９でＮｏ）、ステップＳ２１３に示す決済コード生成処理がなされ、発券情報に関連付けられる決済番号が記録されるように決済コードＣ２が生成される。決済番号は、発券枚数を管理等するための固有のシリアル番号等であって、経路コードＣ１から読み取られた発券情報は、決済番号に関連付けられて記憶部２２の所定のデータベース等に記憶される。なお、決済コードＣ２は、決済番号に加えて、当該決済コードＣ２が生成された時間や当該発券機１０を特定可能な特定情報などの他の情報が記録されるように生成されてもよい。
【００３９】
続いて、ステップＳ２１５に示す決済コード表示処理がなされ、図９に例示するように、生成された決済コードＣ２が発券情報に含まれる降車駅等の情報とともに表示部２３の表示画面２３ａに表示される。本実施形態では、決済コードＣ２は、「第２の情報コード」に相当し得るもので、図９に例示するように、ＱＲコードとして生成され、上記決済コード生成処理を行う制御部２１は、「発券機側生成部」の一例に相当し得る。
【００４０】
携帯端末３０では、利用者により、上述のように発券機１０の表示画面２３ａに表示された決済コードＣ２に撮像部３２が向けられることで撮像された決済コードＣ２の読み取りに成功すると（Ｓ１０９でＹｅｓ）、ステップＳ１１１に示す購入確認表示処理がなされる。この処理では、乗車券Ｔを購入するための決済処理の実行を問う情報が可否選択可能に表示画面３３ａに表示され、決済処理の実行が選択されると（Ｓ１１３でＹｅｓ）、ステップＳ１１５に示す決済処理がなされる。この処理では、乗車券Ｔに関する支払いが携帯端末３０の決済機能を利用して行われる。具体的には、乗車券Ｔの料金等に関する情報や決済コードＣ２の読み取りで得た決済番号などが通信部３６を介して所定の決済サーバに送信され、所定の条件を満たすことで決済が完了すると、決済が完了したことを示す決済完了情報が決済サーバから受信される。この決済完了情報に関する情報が表示部３３の表示画面３３ａに表示されることで、利用者は携帯端末３０を利用した決済が完了したことを知得する。なお、上記決済処理を行う制御部３１は、「決済部」の一例に相当し得る。
【００４１】
上述のように決済が完了すると、上記決済完了情報及び決済番号が記録されるように決済完了コードＣ３が生成される。そして、図１０に例示するように、生成された決済完了コードＣ３が表示部３３の表示画面３３ａに表示される（Ｓ１１９）。本実施形態では、決済完了コードＣ３は、「第３の情報コード」に相当し得るもので、図１０に例示するように、ＱＲコードとして生成され、上記決済完了コード生成処理を行う制御部３１は、「端末側生成部」の一例に相当し得る。なお、決済完了コードＣ３が表示される状態では、利用者が誤って決済完了コードＣ３が表示される画面を消去等しないようにするため、フリック操作等の複雑な操作を行わない限り、画面が切り替わらないように設定されてもよい。また、決済完了コードＣ３は、決済完了情報及び決済番号に加えて、当該携帯端末３０を特定可能な特定情報などの他の情報が記録されるように生成されてもよい。
【００４２】
発券機１０では、利用者により、上述のように携帯端末３０の表示画面３３ａに表示された決済完了コードＣ３が読取口２８ａにかざされることで、この決済完了コードＣ３から上記決済完了情報及び決済番号が読み取られると（Ｓ２１７でＹｅｓ）、ステップＳ２１９に示す乗車券発券処理がなされる。この処理では、決済完了コードＣ３から読み取った決済番号に関連付けられる発券情報が記憶部２２から読み出されて、この発券情報に基づく乗車券Ｔを発券するための情報が発券部２５に対して出力される。これにより、発券部２５にて発券された乗車券Ｔが乗車券放出口１６から放出され、利用者は、乗車券Ｔを受け取ることができる。なお、既に読み取った決済完了コードＣ３が再度読み取られた場合には、２度読みとしているとして、上記ステップＳ２１７でのＮｏとの判定等により、乗車券発券処理がなされることもない。
【００４３】
以上説明したように、本実施形態に係る発券システム１では、操作部３４に対する所定の操作により発券情報が入力されると、発券情報に関する情報が記録されるように生成された経路コードＣ１が画面表示されるように、制御部３１により表示部３３が制御される。そして、情報コード読取部２８により経路コードＣ１が読み取られて発券情報が取得されると、当該発券情報に関連付けられる決済番号が記録されるように生成された決済コードＣ２が画面表示されるように、制御部２１により表示部２３が制御される。そして、撮像部３２にて撮像された決済コードＣ２が読み取られて決済番号が取得されると、発券情報から特定される乗車券Ｔを購入するための決済処理が行われる。そして、決済処理が完了することで決済完了情報が取得されると、決済完了情報と決済コードＣ２の読み取りで取得した決済番号とが記録されるように生成された決済完了コードＣ３が画面表示されるように、制御部３１により表示部３３が制御される。そして、情報コード読取部２８により決済完了コードＣ３が読み取られることで決済完了情報及び決済番号が取得されると、当該決済番号に関連付けられる発券情報から特定される乗車券Ｔが発券されるように、制御部２１により発券部２５が制御される。
【００４４】
これにより、携帯端末３０に表示される情報コードを利用して乗車券Ｔの発券に必要な発券情報を発券機１０に伝えることができるだけでなく、その支払いも携帯端末３０の決済機能を利用して行うことができる。したがって、発券機１０にクレジットカード等を利用可能な決済機能を持たせることなく、携帯端末３０の決済機能を利用して発券機１０で乗車券Ｔを発券することができる。特に、利用者の携帯端末３０の決済機能を利用するため、利用者が普段利用しないような決済方法が採用されることもないので、利用者に安心感を与えることができる。
【００４５】
また、発券情報には、さらに、予約する車両及び座席に関する予約情報を含めることもでき、このような場合には、携帯端末３０に表示される情報コードを利用して上記予約情報を発券機１０に伝えることができるので、乗車券Ｔの発券に関して利便性を高めることができる。
【００４６】
特に、発券情報には、言語情報が含まれ、発券情報に含まれる言語情報に応じた言語にて所定の情報が表示されるように、制御部２１により表示部２３等が制御される。これにより、発券機１０では、利用者が所望する言語で所定の情報が表示部２３の表示画面２３ａに表示されるので、利用者が外国人であっても、券購入に関する情報等を容易に把握することができる。
【００４７】
また、発券機１０において、情報コードがかざされる読取口２８ａは、表示部２３の表示画面２３ａと硬貨投入口１３との間に介在するように配置される。これにより、発券機１０の表示画面２３ａを見ている利用者にとって注目を集めやすい位置に読取口２８ａが設けられることになるので、その読取口２８ａに対して携帯端末３０に表示される情報コードをかざしやすくすることができる。
【００４８】
なお、本発明は上記実施形態等に限定されるものではなく、例えば、以下のように具体化してもよい。
（１）本発明は、乗車券を発券機にて発券する発券システムに採用されることに限らず、他の発券システム、例えば、入場券を発券機にて発券する発券システムや食券を発券機にて発券する発券システム等に適用されてもよい。このように構成される発券システムであっても、携帯端末に表示される情報コードや携帯端末の決済機能を利用して発券することができる。
【００４９】
（２）経路コードＣ１、決済コードＣ２及び決済完了コードＣ３の少なくとも一部は、ＱＲコードとして生成されることに限らず、バーコード等の一次元コードやデータマトリックスコード、マキシコード等の二次元コードなどの他の種別の情報コードとして生成されてもよい。また、経路コードＣ１、決済コードＣ２及び決済完了コードＣ３の少なくとも一部は、記録される情報の秘匿性を確保するため、所定の暗号鍵にて復号可能に暗号化されてもよい。
【符号の説明】
【００５０】
１…発券システム
１０…発券機
２１…制御部（発券機側読取部，発券機側生成部，発券機側制御部）
２３…表示部（発券機側表示部）
２３ａ…表示画面
２５…発券部
２８…情報コード読取部（発券機側読取部）
３０…携帯端末
３１…制御部（端末側読取部，端末側生成部，端末側制御部，決済部）
３２…撮像部（端末側読取部）
３３…表示部（端末側表示部）
３３ａ…表示画面
３４…操作部（入力部）
Ｃ１…経路コード（第１の情報コード）
Ｃ２…決済コード（第２の情報コード）
Ｃ３…決済完了コード（第３の情報コード）
Ｔ…乗車券（券）
【図１】
2019159738.tif 000003
【図２】
2019159738.tif 000004
【図３】
2019159738.tif 000005
【図４】
2019159738.tif 000006
【図５】
2019159738.tif 000007
【図６】
2019159738.tif 000008
【図７】
2019159738.tif 000009
【図８】
2019159738.tif 000010
【図９】
2019159738.tif 000011
【図１０】
2019159738.tif 000012